(57)【要約】【課題】農業用フィルム展帳ハウスのドア部、妻面部あるいは側面部に展張するだけで防虫換気窓を備えられる壁面被覆用フィルム、このフィルムが展帳された農業用フィルム展帳ハウス用ドア及び農業用フィルム展帳ハウスを提供すること。【解決手段】農業用フィルムよりなり枠状の取付対象物又は取付対象個所に展帳される本体フィルム２Ａと、本体フィルム２Ａに設けられた防虫換気窓３Ａと、を備え、防虫換気窓３Ａは、本体フィルム２Ａに切り開かれた窓用開口４Ａの周辺部に固着され該窓用開口４Ａの全面に展帳されたメッシュシート７Ａと、窓用開口４Ａの全面を閉じうる窓フィルム５Ａと、窓用開口４Ａの少なくとも対向２Ｂ辺の端縁部、及びこれに対応した窓フィルム５Ａの端縁部に固着され窓フィルムを開閉するファスナ６Ａと、を有してなる。【選択図】図１
2013027371.tif 000002
【特許請求の範囲】
【請求項１】
農業用フィルムよりなり取付対象物又は取付対象個所に展帳される本体フィルムと、
前記本体フィルムに設けられた防虫換気窓と、を備え、
前記防虫換気窓は、
前記本体フィルムに切り開かれた窓用開口と、
前記窓用開口の全面を閉じる窓フィルムと、
前記窓用開口の端縁部及びこれに対応した前記窓フィルムの端縁部に固着され前記窓フィルムを開閉するファスナと、
前記窓用開口の周辺部に固着され該窓用開口の全面に展帳されたメッシュシートと、
前記窓フィルムを開いたときに該窓フィルムを前記本体フィルムに係止する係止具と、
を有してなることを特徴とする壁面被覆用フィルム。
【請求項２】
前記窓用開口は、該窓用開口の輪郭に対応したファスナ取付位置指示線又はミシン目状切り込み線が前記本体フィルムに形成され、該ファスナ取付位置指示線又はミシン目状切り込み線に沿って前記ファスナが取り付けられた後に該ファスナ取付位置指示線又はミシン目状切り込み線の繋がり部分が切断されることで前記本体フィルムに切り開かれている請求項１に記載の壁面被覆用フィルム。
【請求項３】
前記窓用開口は、前記ファスナを取付け後で前記メッシュシートを取付ける前に、前記ファスナを開いて、前記本体フィルムの前記ファスナ取付位置指示線に対応する部分又はミシン目状切り込み線の繋がり部分を切断して開口されている請求項１または２に記載の壁面被覆用フィルム。
【請求項４】
前記メッシュシートは、前記窓用開口が開口された後に前記ファスナを閉じてから展帳されている請求項１ないし３のいずれかに記載の壁面被覆用フィルム。
【請求項５】
前記メッシュシートは、前記本体フィルムの前記窓フィルムと反対側の面に前記窓用開口の全面に展帳するように重ねられ、周縁部を固着されている請求項１ないし４のいずれかに記載の壁面被覆用フィルム。
【請求項６】
前記窓用開口は、前記舌状部分の輪郭に対応して門形なファスナ取付位置指示線又はミシン目状切り込み線が前記本体フィルムに形成され、該ファスナ取付位置指示線又はミシン目状切り込み線に沿って前記ファスナが取り付けられた後に、前記本体フィルムのファスナ取付位置指示線又はミシン目状切り込み線に対応する部分が切断されて設けられているファスナ取付位置指示線又はミシン目状切り込み線の繋がり部分が切断されて設けられている請求項１乃至５のいずれかに記載の壁面被覆用フィルム。
【請求項７】
前記窓フィルムは、前記本体フィルムに三方を切り開いて舌状部分を形成することにより前記窓用開口を形成したときの該舌状部分よりなり、
前記ファスナは、雄型係合条体と雌型係合条体のいずれか一方が前記舌状部分の周縁部に設けられると共にいずれか他方が前記本体フィルムの前記窓用開口の端縁部に設けられている請求項１乃至６のいずれかに記載の壁面被覆用フィルム。
【請求項８】
前記本体フィルムに切り込みが付与され前記窓用開口が形成されると共に、舌状フィルム部分が形成され、該舌状フィルム部分よりも一回り大きい拡張フィルムが前記舌状フィルム部分に積層され、前記窓用開口の周縁部に沿って拡張フィルムと前記本体フィルムとに雌型の面ファスナエレメントと雄型の面ファスナエレメントとが挟まれて各背面を固着されてなる面ファスナを備えている請求項１乃至６のいずれかに記載の壁面被覆用フィルム。
【請求項９】
前記窓フィルムを開いて該窓フィルムを折り畳んだ状態又は丸めた状態を保持する揺れ止め係止具を、該窓フィルムと前記本体フィルムの少なくとも一方に備えている請求項１乃至８のいずれかに記載の壁面被覆用フィルム。
【請求項１０】
農業用フィルム展帳ハウスのドアを構成するためのドア枠と、前記ドア枠に展帳された請求項１乃至９のいずれかに記載の壁面被覆用フィルムと、を有することを特徴とする防虫換気窓付きドア。
【請求項１１】
ハウスのドア枠、又はハウスの骨組の妻面部あるいは側面部を構成する枠部に、請求項１乃至９のいずれかに記載の壁面被覆用フィルムが展帳されていることを特徴とする農業用フィルム展帳ハウス。
【発明の詳細な説明】
【技術分野】
【０００１】
本発明は、農業用ハウス、園芸用プラスチックハウス、温室などと称される農業用フィルムで覆われた農業用フィルム展帳ハウスのドア部、妻面部あるいは側面部に展張される防虫換気窓を備えた壁面被覆用フィルム、このフィルムが展帳された農業用フィルム展帳ハウス用ドア及び農業用フィルム展帳ハウスに関する。
【背景技術】
【０００２】
農業用フィルム展帳ハウスにおいては、通気性、適度な湿度及び保温性の確保と、害虫の侵入を阻止する種々の工夫が提案されており、またフィルムの骨組への簡易な取着構造が提案されている。
【０００３】
特許文献１には、換気を取るための窓部を通して温室内へ虫が侵入することを防虫ネットを用いて防止する温室用防虫ネット張設装置が提案されている。この温室用防虫ネット張設装置は、一端が換気窓に他端が開口部にネット固定具により固定され、換気窓が開放されたときに形成される開口部分を囲繞する防虫ネットと、換気窓が開放されるとき防虫ネットを伸張するネット案内規制部材とを備えてなる。
【０００４】
特許文献２には、ハウス内の通気を取るための窓用開口を設けると共に、ハウス内の保温性を確保するため窓用開口を覆う蓋体を巻き上げ開閉式に設けかつ窓用開口の周縁部と蓋体の周縁部とが面ファスナで開閉自在に係止させる農業用ハウスが提案されている。
【０００５】
特許文献３には、可撓性フィルムで被覆した農業用ハウスにおいて、ハウスの妻面を被覆する可撓性フィルムの上部に換気口を開設し、該換気口の下辺部の閉鎖シート片の下辺部を固着し、該閉鎖シート片の下辺部以外の端縁がファスナによって着脱自在とされた農業用ハウスが提案されている。
【０００６】
特許文献４には、網室、温室等として利用される防虫ネットが提案されている。この防虫ネットは、半円筒面の屋根面及び半円状の両端面を覆うように形成され内部に円弧状に湾曲可能な複数の支柱を骨組みして蒲鉾形に立体展開され、端面部にファスナによって開閉される出入口を備えている。
【０００７】
特許文献５には、農作物、園芸用植物などを栽培する際に使用される園芸用プラスチックハウスが提案されている。このハウスは、ハウス骨組の屋根部と両端面の上部を網目状樹脂シートの透明被覆材で覆い、ハウス骨組の他の部分を農業用透明プラスチックフィルムで覆い、網目状樹脂シートの透明被覆材と農業用透明プラスチックフィルムとを高周波による融着してなる。
【０００８】
特許文献６には、スライド自在な扉本体にフィルムを二重張りしたビニルハウス用扉が提案されている。このビニルハウス用扉は、矩形形状の枠体の縦枠の外側面に、フィルム止め手段を嵌合することにより外側樹脂フィルムの端縁を挟み込み該外側樹脂フィルムを張設するとともに、また内側面の長手方向へ伸延する溝孔部にフィルム押さえ板を嵌合することにより内側樹脂フィルムの端縁を挟み込み該内側樹脂フィルムを張設し、フィルム二重張り構造としてなる。
【先行技術文献】
【特許文献】
【０００９】
【特許文献１】特開２００６−１０１７７２号公報
【特許文献２】特開２０００−２１７４４４号公報
【特許文献３】特開２００４−１５４０７８号公報
【特許文献４】特開２００８−２２３２７２号公報
【特許文献５】特開平６−２０９６５７号公報
【特許文献６】特開２００８−５７９９号公報
【発明の概要】
【発明が解決しようとする課題】
【００１０】
本発明は、上記特許文献１〜６を今度の発明をするための技術資料とし、鋭意に研究し思考を積み重ねた結果案出したもので、農業用フィルム展帳ハウスのドア部、妻面部あるいは側面部に展張するだけで防虫換気窓を備えられる壁面被覆用フィルム、このフィルムが展帳された農業用フィルム展帳ハウス用ドア及び農業用フィルム展帳ハウスを提供することを目的としている。 
【課題を解決するための手段】
【００１１】
上記目的を達成するために、本発明の壁面被覆用フィルムは、農業用フィルムよりなり取付対象物又は取付対象個所に展帳される本体フィルムと、前記本体フィルムに設けられた防虫換気窓と、を備え、前記防虫換気窓は、前記本体フィルムに切り開かれた窓用開口と、前記窓用開口の全面を閉じる窓フィルムと、前記窓用開口の端縁部及びこれに対応した前記窓フィルムの端縁部に固着され前記窓フィルムを開閉するファスナと、前記窓用開口の周辺部に固着され該窓用開口の全面に展帳されたメッシュシートと、前記窓フィルムを開いたときに該窓フィルムを前記本体フィルムに係止する係止具と、を有してなることを特徴とする。
【００１２】
また上記目的を達成するために、本発明の防虫換気窓付きドアは、農業用フィルム展帳ハウスのドアを構成するためのドア枠と、前記ドア枠に展帳された上記壁面被覆用フィルムと、を有することを特徴とする。
【００１３】
また上記目的を達成するために、本発明の農業用フィルム展帳ハウスは、ハウスのドア枠、又はハウスの骨組の妻面部あるいは側面部を構成する枠部に、上記壁面被覆用フィルムが展帳されていることを特徴とする。
【発明の効果】
【００１４】
本発明によれば、農業用フィルム展帳ハウスのドア部、妻面全面あるいは側面部に展張するだけで、ドア部、妻面全面あるいは側面部を農業用フィルムで閉塞すると同時に、防虫換気窓を備えることができる壁面被覆用フィルムを提供することができ、並びにこのフィルムを展帳するだけで防虫換気窓を備えた農業用フィルム展帳ハウス用ドア及び農業用フィルム展帳ハウスを提供することができる。
【図面の簡単な説明】
【００１５】
【図１】本発明の第１の実施形態に係る壁面被覆用フィルムを一部切り欠いて示す正面図である。
【図２】図１に示す壁面被覆用フィルムの製造方法の最初の工程を示す正面図である。
【図３】図２に示す工程の次の係止具取付工程を示す正面図である。
【図４】図３に示す工程の次のファスナ取付工程を示す正面図である。
【図５】図４に示す工程の次のメッシュシート取付工程を示す裏面図である。
【図６】図１の壁面被覆用フィルムの防虫換気窓を開いた状態の縦断面図である。
【図７】本発明の第２の実施形態に係る壁面被覆用フィルムを一部切り欠いて示す正面図である。
【図８】図７の壁面被覆用フィルムの製造方法の最初の工程を示す正面図である。
【図９】図８に示す工程の次のファスナ取付工程を示す正面図である。
【図１０】（a）は図９におけるXa−Xa断面図であり、（ｂ）は図１０におけるXb−Xb断面図である。
【図１１】図８に示す工程の次のメッシュシート取付工程を示す裏面図である。
【図１２】図７に示す壁面被覆用フィルムの防虫換気窓を開いた状態の概略の縦断面図である。
【図１３】本発明の第３の実施形態に係る壁面被覆用フィルムを一部切り欠いて示す正面図である。
【図１４】本発明の第４の実施形態に係る壁面被覆用フィルムを一部切り欠いて示す正面図である。
【図１５】（ａ）は図１４におけるXVa−XVa断面図であり、（ｂ）は（ａ）のXVb部分の拡大図である。
【図１６】本発明の実施形態に係る壁面被覆用フィルムを展帳した防虫換気窓付きドアを一部切り欠いて示す正面図である。
【図１７】本発明の実施形態に係る壁面被覆用フィルムをドア、妻面部及び側面部に展帳した農業用フィルム展帳ハウスの斜視図である。
【発明を実施するための形態】
【００１６】
以下、本発明の実施形態を図面を参照して説明する。最初に、以下に説明する複数の実施形態の壁面被覆用フィルムに共通する構成を説明し、次に、壁面被覆用フィルムについて複数の実施形態を説明し、続いて防虫換気窓付きドア及び農業用フィルム展帳ハウスについて説明する。
【００１７】
＜実施形態に共通する基本的構成＞
はじめに、第１の実施形態の他の実施形態と共通する基本的構成を図１〜６に用いて説明する。他の実施形態に関しては、対応する各用語に付されている符号で読み替えるものとする。
【００１８】
壁面被覆用フィルム１Ａは、農業用フィルムよりなり農業ハウスのドア枠等に展帳される本体フィルム２Ａと、この本体フィルム２Ａに設けられた防虫換気窓３Ａとを有してなる。
【００１９】
本体フィルム２Ａは、骨組が農業用フィルムで覆われた農業用ハウス、園芸用プラスチックハウス、温室等の農業用フィルム展帳ハウスの枠状物又は枠状取個所（具体的には、ドア枠、妻面部あるいは側面部を構成する枠部）に展帳される。
【００２０】
本体フィルム２Ａは、フィルム周縁部をドア枠又はその他の枠部に重ねられ、該ドア枠又はその他の枠部にフィルム止め手段を固着することによりフィルム周縁部が該ドア枠又はその他の枠部とフィルム止め手段に挟み込まれ、もって該ドア枠又は該枠部に展帳される。
【００２１】
本体フィルム２Ａは、保温性、耐候性、防曇性、防霧性、透明性、非べたつき性、防塵性、耐久性、長期展張性などの機能を備えた農業用ビニルフィルムや農業用ポリオレフィン系フィルムである農業用フィルムが好ましく、市販品から適宜に選択すれば足りる。
【００２２】
防虫換気窓３Ａは、本体フィルム２Ａに切り開かれた窓用開口４Ａと、この窓用開口４Ａの全面を閉じる窓フィルム５Ａと、この窓フィルム５Ａを開閉する窓フィルム開閉手段であるファスナ６Ａと、窓用開口４Ａの全面に展帳されたメッシュシート７Ａと、窓フィルム５Ａを開いたとき垂れ下がる窓フィルム５Ａを本体フィルム２Ａに重なる状態に係止する係止具８Ａとを有してなる。
【００２３】
窓用開口４Ａは、本体フィルム２Ａに製作時の初期形状としてファスナ取付位置指示線（又はミシン目状切り込み線でもよい。以下においても同じ。）１１Ａが設けられ（図２参照）、このファスナ取付位置指示線１１Ａに沿ってファスナ６Ａが取り付けられ（図３参照）、その後に反対面からナイフでファスナ取付位置指示線１１Ａに沿って切り込み線１０Ａが入れられることによって形成されている。さらに、切り込み線１０Ａが入れられることで、舌状で窓用開口４Ａを閉じる窓フィルム５Ａが形成されている。
【００２４】
窓フィルム５Ａは、一辺（下辺)が本体フィルム２Ａに繋がっている舌状片が使われているので、経済的でコストを抑えられ手間がかからないと共に、窓用開口４Ａに対し位置ずれすることなく全閉状態に重なる。
なお、窓フィルムについて、上記と異なる構成として、別途に窓フィルムを構成するためのフィルムを用意する場合には、用意する分だけフィルム代がコスト高になりさらに形取りする手間がかかりコスト高になり、窓用開口４Ａに対する窓フィルムの位置合わせが難しく、この位置合わせをして上でファスナ６Ａを取付ける必要があるからファスナ６Ａを取付けが非常に難しくなるという問題がある。本実施形態には本体フィルム２Ａの一部である舌状片が使われているためこの問題がない。
【００２５】
ファスナ６Ａは、ファスナ取付位置指示線１１Ａに合わせ、一方を本体フィルム２Ａに固定されていると共に他方を窓フィルム５Ａに固定されている（図１参照）。このファスナ６Ａを取付けた後に、ファスナ取付位置指示線１１Ａは、全ての繋がり部分を裏面から切られている。本発明に係る壁面被覆用フィルム１Ａは、ファスナ取付位置指示線１１Ａの繋がり部分を切断しても、繋がり部分があったことの形跡が微妙に残る。
【００２６】
メッシュシート７Ａは、ファスナ取付位置指示線１１Ａの繋がり部分が切られた後に、本体フィルム２Ａのファスナ６Ａが取り付けられた面と反対側の面に窓用開口４Ａの全面に展帳状態となるように取り付けられている。
メッシュシート７Ａの取り付けは縫製により行われている。メッシュシート７Ａは、窓用開口４Ａに全閉状態に重ね、かつ周縁部を窓用開口４Ａの全周縁に例えば１０〜１５ｍｍ幅でオーバーラップさせて縫製により固着されている。
【００２７】
図１に示すように、係止具８Ａは、面ファスナが用いられ、窓フィルム５Ａが窓用開口４Ａから垂れ下がりほぼ密着状態において雌雄のファスナエレメント同士が組み付いて窓フィルム５Ａを本体フィルム２Ａに係止する機能を有し、これにより、窓フィルム５Ａが風であおられてもひらひらするのを抑えると共にざわざわとした騒音の発生を抑え、また引き千切れてしまうのを回避する。
【００２８】
壁面被覆用フィルム１Ａは、本体フィルム２Ａに防虫換気窓３Ａを備えてなるので、後述するように、ドア枠等に展帳するだけで防虫換気窓を簡便に低コストで設置できる。防虫換気窓３Ａは、窓用開口４Ａの全面にメッシュシート７Ａを展帳した構成であることにより、窓フィルム５Ａを開いたときに虫の侵入を防止することができて、そして、窓用開口４Ａに対して窓フィルム５Ａをファスナ６Ａによって開閉できることにより、メッシュシート７Ａを通して換気を確保することができ、また雨天時には窓フィルム５Ａを全閉して雨の侵入を防ぐ役目を果たす。従って、壁面被覆用フィルム１Ａをドア枠等に展帳するだけで、農業用フィルム展帳ハウスに防虫換気窓を簡易に設けることができる。
【００２９】
この実施形態では、角ばった門形なファスナ取付位置指示線１１Ａを形成し、ファスナ６Ａを設けてから、ファスナ取付位置指示線１１Ａの繋がり部分を切って窓用開口４Ａを形成するので、ファスナ６Ａの取付けに際してフィルム同士の位置ずれが生じることがないからファスナ６Ａの取付け易く生産性が高い。これに対し、ミシン目状ではない連続した切り込み線を付与してからファスナ６Ａを設ける場合には、切り込み線を付与した時点で窓用開口と窓フィルムが同時形成されるから、ファスナ６Ａを重ねて取付ける際に、窓フィルム５Ａが本体フィルム２Ａに対して移動し易く、位置合わせに手間がかかることになる。
【００３０】
＜第１の実施形態＞
図１に示す第１の実施形態の壁面被覆用フィルム１Ａは、上記基本的構成を備えている他に、以下の構成を備えている。
【００３１】
壁面被覆用フィルム１Ａは、図２に示すように、本体フィルム２Ａに、製作時の初期工程として例えばテンプレートを宛がい、その輪郭をマジックインク（登録商標）により倣って描画することにより形成されるアーチ状のファスナ取付位置指示線１１Ａと、折り線指示線１２Ａと、基準線１３Ａとが付与される。ファスナ取付位置指示線１１Ａは、上向きに凸の半円形部とその両端より下方へ延びる直線部とからなるアーチ状の形状である。折り線１２Ａは、窓用開口４Ａの全開時の折り線位置を指示する線である。基準線１３Ａは、ファスナ６Ａの両端の取付位置を指示する線である。窓用開口４Ａを形成するためのファスナ取付位置指示線１１Ａに沿って本体フィルム２Ａに入れられる切り込み線１０Ａ（図１参照）の端は、折り線指示線１２Ａと基準線１３Ａとの間で位置している。
【００３２】
そして、図３に示すように、窓フィルム５Ａに縫製された雌雄対の面ファスナエレメント８A1〜８A4とバンド８A5とからなる複数対の係止具８Ａが取付けられ、次いで、図４に示すように、ファスナ取付位置指示線１１Ａに沿ってファスナ６Ａが縫製により取付けられ、ここで切り込み線１０Ａが入れられ、続いて、図５に示すように、ファスナ６Ａと反対側の面よりドーム形の窓用開口４Ａが形成され、窓用開口４Ａの全面にメッシュシート７Ａを展帳されてなる。なお、雌雄対の面ファスナエレメント８A1〜８A4とバンド８A5の取り付け位置は、前記テンプレートに設ける開口の輪郭をマジックインク（登録商標）により倣って描画する。バンド８A5を取付ける段階を、メッシュシート７Ａを展帳した後までの任意の段階とすることができる。また、本体フィルム２Ａのファスナ取付位置指示線１１Ａに対応する部分に切り込みを入れる段階を、メッシュシート７Ａを展帳した後とすることができる。
【００３３】
図４に示すように、ファスナ６Ａは、左右に平面状に並ぶ一対のテープ状の基材６A1，６A2と、各基材の対向縁部に取り付けられ凹部と凸部が配列方向の前後面に備えている多数の務歯６A3，６A4と、左右の複数の務歯を抱え込んでいる２つのつまみ付きスライダ６A5，６A5とからなる。
ファスナ６Ａは、スライダ６A5，６A5を互いに離間する方向に動かすことで左右の務歯同士の組み合わせを順に解いて開いていき、また他方向に動かすことで務歯同士いく構成であり、基材が鞄や衣類等に縫製により固定されるタイプである。
ファスナ６Ａは、窓用開口４Ａを全開した状態ではスライダ６A5，６A5が両側下端に位置し、スライダ６A5，６A5が上方向へ移動され上部中央で近接すると窓用開口４Ａを全閉する。
【００３４】
ファスナ６Ａは、務歯６A3，６A4同士を全長に渡り線状に噛み合わされた状態で、この噛み合わせ線がファスナ取付位置指示線１１Ａに合わされ、一方の基材６A1が本体フィルム２Ａのファスナ取付位置指示線１１Ａに沿った外側近傍に縫製により固定され、他方の基材６A2が本体フィルム２Ａのファスナ取付位置指示線１１Ａに沿った内側近傍に縫製により固定されている。
【００３５】
図４に示すように、ファスナ６Ａは、ファスナ取付位置指示線１１Ａが設けられた後に設けられる。ファスナ６Ａが設けられた後に本体フィルム２Ａのファスナ取付位置指示線１１Ａに対応する部分が切断され、これにより、窓用開口４Ａが形成されるとともに本体フィルム２Ａの一部である舌状片が窓フィルム５Ａとなる。図４に示すように、メッシュシート７Ａは、ファスナ６Ａの固着後で窓フィルム５Ａを垂らして窓用開口４Ａを開いて本体フィルム２Ａを平坦に保持した状態で、該ファスナ６Ａとは反対側から本体フィルム２Ａに重ねられ縫製により固着されている。図４において、点線で示す外側部分がメッシュシート７Ａと本体フィルム２Ａとの固着面である。なお、このファスナ６Ａは、スライダ６A5を１つ備える構成であっても良い。
【００３６】
図３に示すように、係止具８Ａは、窓フィルム５Ａのファスナ６Ａの円弧部の内側配置に縫製により固定された複数の雌型の面ファスナエレメント８A1と、窓フィルム５Ａの折線１２Ａより上側近傍の両側及び中央の３位置に縫製により固定された複数の雌型の面ファスナエレメント８A2と、本体フィルム２Ａの折線１２Ａより下側近傍の両側及び中央の３位置に縫製により固定された複数の雄型の面ファスナエレメント８A2と、窓用開口４Ａの下方に位置して本体フィルム２Ａに縫製により固定された複数の雄型の面ファスナエレメント８A4と、バンド８A5とからなる。
ファスナ６Ａを開動して窓用開口４Ａを全開し窓フィルム５Ａが本体フィルム２Ａに密着するように折線１２Ａより垂れ下がった状態にすると、雌雄対の面ファスナエレメント８A2と８A3とが対面して組み付くと共に、雌雄対の面ファスナエレメント８A1と８A4とが対面して組み付く。なお、雌型の面ファスナエレメント８A1〜８A4は雌雄が逆となる配置に設けられてもよい。
バンド８A5は、農業用フィルムより成り、両端を本体フィルム２Ａに高周波溶着されている。図６に示すように、窓フィルム５Ａを折線１２Ａより垂れ下がる状態にするときには、該窓フィルム５Ａをバンド８A5に潜らせてから雌雄対の面ファスナエレメント同士を組み付ける。これにより、バンド８A5は、垂れ下がる窓フィルム５Ａを抑えることができる。
【００３７】
上記のように構成された係止具８Ａは、窓フィルム５Ａが窓用開口４Ａから垂れ下がる状態で面ファスナエレメント同士が組み付いて窓フィルム５Ａを本体フィルム２Ａに係止し、さらにバンド８A5が窓フィルム５Ａを抑え込み、該窓フィルム５Ａが風であおられてもひらひらするのを抑えると共にざわざわとした騒音の発生を抑え、また引き千切れてしまのを回避する機能を有する。
【００３８】
＜第２の実施形態＞
図８に示す第１の実施形態の壁面被覆用フィルム１Ｂは、上記基本的構成を備えている他に、以下の構成を備えている。
【００３９】
壁面被覆用フィルム１Ｂは、本体フィルム２Ｂが用いられる。壁面被覆用フィルム１Ｂは、図８に示すように、製作時の初期形状として本体フィルム２Ｂに門形のファスナ取付位置指示線（又はミシン目状切り込み線、以下同じ。）１０Ｂが付与されると共に、合わせ面が横長矩形の補強フィルム９Ｂが本体フィルム２Ｂに重ねられ、かつ補強フィルム９Ｂの上辺がファスナ取付位置指示線１１Ｂの両側の下端に合わされ、補強フィルム９Ｂの全面が本体フィルム２Ｂに縫製により固着されている。ファスナ取付位置指示線１１Ｂは、両側の縦線部と両縦線部の上端同士を横線部と角丸部とで繋いだ門形形状である。
【００４０】
壁面被覆用フィルム１Ｂは、補強フィルム９Ｂを固着された後に、図９に示すように、ファスナ取付位置指示線１１Ｂに沿って本体フィルム２Ｂの一方の面にファスナ６Ｂが宛がわれ縫製により固着され、さらにその後に、反対面よりファスナ取付位置指示線１１Ｂの全ての繋がり部分を切られていることにより、窓用開口４Ｂと本体フィルム２Ｂの一部である舌状片よりなり窓用開口４Ｂを閉じる窓フィルム５Ｂとが形成されている。補強フィルム９Ｂは、窓フィルム５Ｂが開け閉めを繰り返されても、切り込みの両端が切り広がるのを防止する機能がある。
【００４１】
ファスナ６Ｂは、フィルム製の食品パッケージなどに採用されている構造のスライダ付きのファスナが採用される。図１０（ａ），（ｂ）に示すように、ファスナ６Ｂは、雄型係合条体６B1と、雌型係合条体６B2と、該雄型係合条体６B1と該雌型係合条体６B2に係合し移動されることにより該雄型係合条体６B1と該雌型係合条体６B2とを嵌合し又は嵌合状態から離間する２つのつまみ付きスライダ６A3とからなる。
【００４２】
図９、図１０（ａ），（ｂ）に示すように、ファスナ６Ｂは、雄型係合条体６B1と雌型係合条体６B2とが全長に渡り嵌合した状態で、雄型係合条体６B1を支持する雄型係合条体支持フィルム６B4が門形のファスナ取付位置指示線１１Ｂの外縁に沿って本体フィルム２Ｂに重ねられ縫製により固着され、また雌型係合条体６B2を支持する雌型係合条体支持フィルム６B5が門形のファスナ取付位置指示線１１Ｂの内縁に沿って窓フィルム５Ｂに重ねられ縫製により固着されている。
【００４３】
これにより、ファスナ６Ｂは、雄型係合条体６B1と雌型係合条体６B2とが、該門形のファスナ取付位置指示線１１Ｂの内縁と外縁に沿って別々に固着された一対の雄型と雌型の係合条体支持フィルム６B4，６B5の合掌状に立ち上がる部分に対向にして全長に渡り嵌合した状態に設けられている。なお、雄型係合条体６A1と雌型係合条体６B2の下端同士は開かないようにかつスライダ６B3が脱出しないようにするための溶着部６B6が設けられている（図７）。
【００４４】
このファスナ６Ｂは、スライダ６B3が２つあり、２つのスライダ６B3を左右に離間していき、さらにコーナーから引き下げていくことにより、窓フィルム５Ｂを開いていくことができる。なお、このファスナ６Ｂは、スライダが１つのみ備えている構成であっても良い。
【００４５】
そして、図１１に示すように、この壁面被覆用フィルム１Ｂは、本体フィルム２Ｂのファスナ６Ｂと反対側の面にメッシュシート７Ｂが重ねられ、メッシュシート７Ｂの周縁部が本体フィルム２Ｂの窓用開口４Ｂの周縁部に縫製により固着されてなる。
【００４６】
係止具８Ｂは、第１の実施形態に係る係止具８Ａと同一に設ける方がよいが、ここでは、別の構成を示している。図７に示すように、係止具８Ｂは、バンド８B1と、短尺雄型の面ファスナエレメント８B2と、短尺雌型の面ファスナエレメント８B3とからなる。バンド８B1は、高強度性を有するフィルム製であり、窓フィルム５Ｂの裏面側（メッシュシート７Ｂと挟まれる位置）に縦長に配置され、その下端を窓フィルム５Ｂの下端部に縫製(溶着等でもよい）により固着されている。短尺雄型の面ファスナエレメント８B2はバンド８B1の上端裏面側に固着されている。雌型の短尺面ファスナエレメント８B3は本体フィルム２Ｂの表面の窓フィルム５Ｂの下側位置に固着されている。そして、図１２に示すように、開いて丸めた窓フィルム５Ｂをバンド８B1で締め付け、雄型の面ファスナエレメント８B2と雌型の面ファスナエレメント８B3とを係合する。
【００４７】
＜第３の実施形態＞
図１３に示す第３の実施形態の壁面被覆用フィルム１Ｃは、上記基本的構成を備えている他に、以下の構成を備えている。
【００４８】
窓用開口４Ｃ及び本体フィルム２Ｃの一部である舌状片の窓フィルム５Ｃは、本体フィルム２Ｃに左右の縦線部と両縦線部の上端同士を結ぶ横線部とからなる門形のファスナ取付位置指示線（又はミシン目状切り込み線、以下同じ。）１０Ｃを設け、メッシュシート７Ｃを設ける前に、このファスナ取付位置指示線の繋がり部分を裏面からナイフで切断されることにより形成されている。
【００４９】
補強フィルム９Ｃは、ファスナ取付位置指示線１１Ｃの左右の縦線部の下端に補強フィルム９Ｃの上端を合わされ、縫製により本体フィルム２Ｃに固着されている。
【００５０】
ファスナ６Ｃ，６Ｃは、第２の実施形態のファスナ６Ｂと同一構造のものが使用され、直線状であり、ファスナ取付位置指示線１１Ｃの左右の縦の切り込み部分に沿って左右１対に設けられている。ファスナ６Ｃ，６Ｃは、雄型係合条体６C1を支持する雄型係合条体支持フィルム６C4が門形のファスナ取付位置指示線１１Ｃの縦線部の外側に沿って本体フィルム２Ｃに重ねられ縫製により固着され、また雌型係合条体６C2を支持する雌型係合条体支持フィルム６C5が門形のファスナ取付位置指示線１１Ｃの内縁に沿って窓フィルム５Ｃに重ねられ縫製により固着されている。なお、雄型係合条体支持フィルム６C4と雌型係合条体支持フィルム６C5の取付けを、上記の縫製によらないでシートシールとすることができる。
【００５１】
ファスナ６Ｃ，６Ｃは、雄型係合条体６C1と雌型係合条体６C2の下端同士が開かないようにかつスライダ６C3が脱出しないようにするための溶着部６C6が設けられ、また雄型係合条体６C1と雌型係合条体６C2の上端同士が開かないようにかつスライダ６C3が脱出しないようにするための溶着部６C7が設けられている。
【００５２】
メッシュシート７Ｃは、本体フィルム２Ｃのファスナ６Ｃが設けられた面と反対側の面に窓用開口４Ｃの全面に展帳するように重ねられ、周縁部を窓用開口４Ｃの周縁部に縫製により固着されている。係止具８Ｃは、第１の実施形態の係止具８Ａと同一構造であり、対応する符号を付して説明を省略する。
【００５３】
＜第４の実施形態＞
第４の実施形態に係る壁面被覆用フィルム１Ｄを図１４に示す。この壁面被覆用フィルム１Ｄは、上記基本的構成を備えている他に、以下の構成を備えている。
【００５４】
図１５（ａ），（ｂ）に示すように、窓フィルム５Ｄは、本体フィルム２Ｄに窓用開口４Ｄを設けるためのファスナ取付位置指示線（又はミシン目状切り込み線、以下同じ。）１０Ｄを入れることで生じる舌状片５D1と、別のフィルムによりこの舌状片５D1よりも一回り大きく形成されこの舌状片５D1に重ねて縫製により積層された拡張フィルム５D2とからなる。
【００５５】
補強フィルム９Ｄは、ファスナ取付位置指示線１１Ｄの左右の縦線部の下端に補強フィルム９Ｄの上端を合わされ、縫製により本体フィルム２Ｄに固着されている。
【００５６】
上記のように、拡張フィルム５D2と補強フィルム９Ｄは、舌状片５D1を形成している切り込みの両側端が切り広がることを防止する機能を有する。
【００５７】
窓フィルム５Ｄを開閉する窓フィルム開閉手段としての面ファスナ６Ｄは、本体フィルム２Ｄに固定された雄型の面ファスナエレメント６D1と、窓フィルム５Ｄに固定された雌型の面ファスナエレメント６D2とからなる。雄型の面ファスナエレメント６D1と雌型の面ファスナエレメント６D2は、各背面に粘着剤を塗布されさらに離型紙（図示しない)で隠蔽されていて、この離型紙が剥離されて窓用開口４Ｄに臨む三方の端縁に接着されさらに縫製により固定されている。
【００５８】
さらに、本体フィルム２Ｄの窓フィルム５Ｄとは反対側の面に、メッシュシート７Ｄが重ねられ、メッシュシート７Ｄの周縁部が本体フィルム２Ｄの窓用開口４Ｄの周縁部に縫製により固着されてなる。また、窓フィルム５Ｄを開いて該窓フィルム５Ｄを保持する係止具８Ｄを備えている。係止具８Ｄは、第１の実施形態の係止具８Ａと同一構造であり、対応する符号を付して説明を省略する。
【００５９】
＜第５の実施形態＞
図１６は防虫換気窓付きドアの実施形態を示す。この防虫換気窓付きドアＤは、農業用フィルム展帳ハウスのドアを構成するための縦桟と横桟とを有するドア枠Ｄ１に図１に示す壁面被覆用フィルム１Ａが展帳されてなる。このように、ドア枠Ｄ１に壁面被覆用フィルム１を展帳するだけで防虫換気窓３を備えた農業用フィルム展帳ハウスに適したドアＤを簡便に構成することができる。ドア枠Ｄ１への壁面被覆用フィルム１の展帳には、例えば特許文献６に示す展帳技術を採用することができ、ドア枠Ｄ１の外側面に凹条部を備え、この凹条部にフィルム止め手段を嵌合することにより壁面被覆用フィルム１の端縁を挟み込む。
【００６０】
＜第６の実施形態＞
図１７は農業用フィルム展帳ハウスの実施形態を示す。この農業用フィルム展帳ハウスＨは、農業用ハウス、温室等のハウスのドア枠、又はハウスの骨組による面を構成する枠部に、図１に示す壁面被覆用フィルム２ＢがドアＤ、妻面、側壁面に展帳され、複数の防虫換気窓３を備えている。
【００６１】
上述した図１１に示す防虫換気窓付きドアＤ及び図１２に示す農業用フィルム展帳ハウスＨでは、第１の実施形態に示す壁面被覆用フィルム１Ａが展帳されているが、これに限定されず、第２〜４の実施形態に示す壁面被覆用フィルム１Ｂ〜１Ｄが展帳されていてもよい。
【００６２】
＜その他の実施形態＞
本発明は、上記の実施形態に限定されるものでなく、特許請求の範囲の記載に基づいて把握される技術的範囲には、発明の要旨を逸脱しない範囲内で種々、設計変更した形態を含む。
【００６３】
（１）本体フィルムは、矩形に限定されるものでなく、例えば農業用フィルム展帳ハウスの枠状物又は枠状取個所が矩形以外の形状に形成されている場合には、その矩形以外の形状に対応した形状とされ該枠状物又は該枠状取個所に展帳される。そして、防虫換気窓３も、矩形に限定されるものでなく、例えば上部が半円形であっても良い。
（２）実施形態におけるメッシュシート７Ａの本体フィルムへの取り付けは縫製により行われている。この場合には、メッシュシートは、ナイロンメッシュシート、ポリエステルメッシュシート、テフロンメッシュシートなどのヒートシール性を有しない樹脂製メッシュシート、あるいはステンレス製メッシュシートなどの金属製メッシュシートであっても良い。本発明は、メッシュシート７Ａの本体フィルムへの取り付けがヒートシールにより行われてもよい。この場合には、ポリエチレンメッシュシート、ポリプロピレンメッシュシートが用いられ、本体フィルムのメッシュシートを取付ける側の面が未延伸のポリエチレンフィルム又はポリプロピレンフィルムとする。このほか、実施形態での縫製は、高周波溶着、ヒートシール、接着剤による接着、粘着、カシメ式結着ピンのいずれか、またはこれらの組み合わせにより固着に置き換えることができる。なお、ヒートシールとする場合には、フィルムの重ね合わせ面がヒートシール性を有するフィルムが積層される必要がある。
（３）第３の実施形態の変形例として、門形ではなく矩形に切り込みを入れてフィルム片を切り取って窓用開口を設け、窓フィルムは、切り取った矩形のフィルム片を利用しなくても良い。本体フィルムに矩形に切り込みを入れてフィルム片を切り取って窓用開口を設け、該切り取ったフィルム片を窓フィルムとして利用しない場合も本発明に含まれる。すなわち、本体フィルムに、矩形に切り開いて窓用開口を設け、窓用開口を全閉するようにメッシュシートの周縁部を本体フィルムの窓用開口の周縁部に固着し、メッシュシートよりも一回り大きな窓フィルムを用意しその下端縁部を接着、粘着、カシメ式結着ピン、縫製などにより固着すると共に、残りの三方の端縁部又は両側縁部をファスナを介して本体フィルムに接続固定しても良い。この場合には、窓フィルムは、本体フィルムに対しメッシュシートを取付けた側、又は反対側の何れに取付けることができる。
（４）窓フィルムが開かれたときに風にひらひらすることがないように抑える揺れ止め係止具として、開いた窓フィルムを丸めた状態に抑えるバンド、あるいは開いた窓フィルムを仕舞い込むポケットを付設しても良い。
【００６４】
上記の実施形態では、ファスナ取付位置指示線（又はミシン目状切り込み線）を形成し、ファスナを設けてから、ファスナ取付位置指示線の繋がり部分を切って窓用開口を形成しているが、本発明はこれに限定されるものでなく、はじめにミシン目状ではない連続した切り込み線を形成しこの切り込み線に沿ってファスナを設けても良い。
【００６５】
上記の実施形態では、ファスナ取付位置指示線を形成してからファスナを設け、次いでメッシュシートを設けているが、ファスナ取付位置指示線を形成してからメッシュシートを設け、次いでファスナを設けても良い。この場合には、ファスナを窓フィルムに固定する際にメッシュシートを固定しないように留意する。
【００６６】
本願発明は、上述した変形例の他に、上述した実施形態の記述中には、以下に付記として列挙する形態の発明を含んでいる。
【００６７】
＜付記１＞
窓用開口４Ａ（又は４Ｂ，４Ｃ，４Ｄ）は、該窓用開口の輪郭に対応したファスナ取付位置指示線又はミシン目状切り込み線１０Ａ（又は１０Ｂ，１０Ｃ，１０Ｄ）が本体フィルム２Ａ（又は２Ｂ，２Ｃ，２Ｄ）に形成され、該ファスナ取付位置指示線又はミシン目状切り込み線に沿ってファスナ６Ａ（又は６Ｂ，６Ｃ，６Ｄ）が取り付けられた後に該ファスナ取付位置指示線又はミシン目状切り込み線の繋がり部分が切断されることで本体フィルム２Ａ（又は２Ｂ，２Ｃ，２Ｄ）に切り開かれていること。
【００６８】
＜付記２＞
窓用開口４Ａ（又は４Ｂ，４Ｃ，４Ｄ）は、ファスナ６Ａ（又は６Ｂ，６Ｃ，６Ｄ）を取付け後でメッシュシート７Ａ（又は７Ｂ，７Ｃ，７Ｄ）を取付ける前に、ファスナを開いて、本体フィルム２Ａ（又は２Ｂ，２Ｃ，２Ｄ）のファスナ取付位置指示線又はファスナ取付位置指示線に対応する部分１０Ａ（又は１０Ｂ，１０Ｃ，１０Ｄ）を切断して開口されていること。
【００６９】
＜付記３＞
前記メッシュシート７Ａ（又は７Ｂ，７Ｃ，７Ｄ）は、窓用開口４Ａ（又は４Ｂ，４Ｃ，４Ｄ）が開口された後にファスナ６Ａ（又は６Ｂ，６Ｃ，６Ｄ）を閉じてから展帳されていること。
【００７０】
＜付記４＞
メッシュシート７Ａ（又は７Ｂ，７Ｃ，７Ｄ）は、本体フィルム２Ａ（又は２Ｂ，２Ｃ，２Ｄ）の窓フィルム５Ａ（又は５Ｂ，５Ｃ，５Ｄ）と反対側の面に窓用開口４Ａ（又は４Ｂ，４Ｃ，４Ｄ）の全面に展帳するように重ねられ、周縁部を固着されていること。
【００７１】
＜付記５＞
窓用開口４Ａ（又は４Ｂ，４Ｃ，４Ｄ）は、舌状部分の輪郭に対応して門形なファスナ取付位置指示線又はミシン目状切り込み線１１Ａ（又は１１Ｂ，１１Ｃ，１１Ｄ）が本体フィルム２Ａ（又は２Ｂ，２Ｃ，２Ｄ）に形成され、該ファスナ取付位置指示線又はミシン目状切り込み線に沿ってファスナ６Ａ（又は６Ｂ，６Ｃ，６Ｄ）が取り付けられた後に本体フィルムのファスナ取付位置指示線又はミシン目状切り込み線に対応する部分が切断されて設けられていること。
【００７２】
＜付記６＞
窓フィルム５Ａ（又は５Ｂ，５Ｃ，５Ｄ）は、本体フィルム２Ａ（又は２Ｂ，２Ｃ，２Ｄ）に三方を切り開いて舌状部分を形成することにより窓用開口４Ａ（又は４Ｂ，４Ｃ，４Ｄ）を形成したときの舌状部分を含んで構成され、
ファスナ６Ａ（又は６Ｂ，６Ｃ，６Ｄ）は、一方が舌状部分の周縁部に設けられると共にいずれか他方が該窓用開口４Ａ（又は４Ｂ，４Ｃ，４Ｄ）の端縁部に設けられていること。
【００７３】
＜付記７＞
ファスナ６Ａ（又は６Ｂ，６Ｃ，６Ｄ）は、ファスナ取付位置指示線又はミシン目状切り込み線１０Ａ（又は１０Ｂ，１０Ｃ，１０Ｄ）の繋がり部分が切断され窓用開口４Ａ（又は４Ｂ，４Ｃ，４Ｄ）が形成される前に設けられていること。
【００７４】
＜付記８＞
本体フィルム２Ｄに切り込みが付与され窓用開口４Ｄが形成されると共に、舌状フィルム部分５D1が形成され、舌状フィルム部分５D1よりも一回り大きい拡張フィルム５D2が舌状フィルム部分５D1に積層され、窓用開口４Ｄの周縁部に沿って拡張フィルム５D2と本体フィルム２Ｄとに雌型の面ファスナエレメント６D1と雄型の面ファスナエレメント６D2とが挟まれて各背面を固着されてなる面ファスナ６Ｄを備えていること。
【００７５】
＜付記９＞
窓フィルム５Ａ（又は５Ｂ，５Ｃ，５Ｄ）を開いて該窓フィルムを折り畳んだ状態又は丸めた状態を保持する揺れ止め係止具を、窓フィルムと本体フィルムの少なくとも一方に備えていること。
【符号の説明】
【００７６】
１Ａ〜１Ｄ…温室壁面用フィルム
２Ａ〜２Ｄ…本体フィルム
３Ａ〜３Ｄ…防虫換気窓
４Ａ〜４Ｄ…窓用開口
５Ａ〜５Ｄ…窓フィルム
６Ａ〜６Ｄ…ファスナ
７Ａ〜７Ｄ…メッシュシート
８Ａ〜８Ｄ…係止具
１１Ａ〜１１Ｄ…ファスナ取付位置指示線又はミシン目状切り込み線
Ｄ…防虫換気窓付きドア
Ｄ１…ドア枠
Ｈ…農業用フィルム展帳ハウス
【図１】
2013027371.tif 000003
【図２】
2013027371.tif 000004
【図３】
2013027371.tif 000005
【図４】
2013027371.tif 000006
【図５】
2013027371.tif 000007
【図６】
2013027371.tif 000008
【図７】
2013027371.tif 000009
【図８】
2013027371.tif 000010
【図９】
2013027371.tif 000011
【図１０】
2013027371.tif 000012
【図１１】
2013027371.tif 000013
【図１２】
2013027371.tif 000014
【図１３】
2013027371.tif 000015
【図１４】
2013027371.tif 000016
【図１５】
2013027371.tif 000017
【図１６】
2013027371.tif 000018
【図１７】
2013027371.tif 000019